(57)【要約】【課題】空気室と混合室とを連通する空気通路の入口に薄肉環状の弁部による逆止弁が設けられたポンプ式泡吐出容器について、加圧された空気室から空気通路に送り込まれる空気の流れによって逆止弁の弁部が振動することに起因する音鳴りを抑制又は阻止できるようにする。【解決手段】空気室が加圧された時に、弾性弁体１６の内方弁部１６ｃの先端側が上方に弾性変形するのに対して、空気通路Ｄの入口を所定量だけ開口させた状態で、内方弁部１６ｃの先端側の上面と接触してそれ以上の内方弁部１６ｃの上方への弾性変形を阻止するためのストッパー部７２ｃを、弾性弁体１６の内方弁部１６ｃの先端側の上面と対向するように、空気用ピストン７の中間連結部７２の下面側に設ける。【選択図】図４
2010260552.tif 000002
【特許請求の範囲】
【請求項１】
大径の空気用シリンダと小径の液用シリンダを同心的に一体成形した二重シリンダと、空気用シリンダに摺接する空気用ピストンと液用シリンダに摺接する液用ピストンを一体化したピストン体とにより、容器外の空気を吸入する空気室と、容器内の液体を吸い上げる液室と、空気室からの空気と液室からの液体を混合して泡立てる混合室と、空気室と混合室を連通する空気通路とが形成されており、
液用ピストンを連結する小径筒状のステム部と空気用シリンダに摺接する大径筒状のピストン部を中間連結部を介して同心的に一体成形した空気用ピストンに対して、その中間連結部に空気室の吸気孔が開設され、そのステム部と液用ピストンとの間に空気通路が形成されていて、この吸気孔と空気通路をそれぞれ開閉する逆止弁が設けられていると共に、
空気通路を開閉する逆止弁として、筒状基部の下端付近から内方に薄肉環状の内方弁部を延ばした弾性弁体が、空気用ピストンの中間連結部に筒状基部の上端部が保持された状態で、内方弁部により空気通路の入口を開閉するように設けられていて、
空気室の大気圧時と負圧時には、弾性弁体の内方弁部により空気通路の入口が閉鎖され、空気室が加圧された時には、弾性弁体の内方弁部の先端側が上方に弾性変形することで空気通路の入口が開口されるようになっているポンプ式泡吐出容器において、
空気室が加圧された時に、弾性弁体の内方弁部の先端側が上方に弾性変形するのに対して、空気通路の入口を所定量だけ開口させた状態で、内方弁部の先端側の上面と接触してそれ以上の内方弁部の上方への弾性変形を阻止するためのストッパー部が、弾性弁体の内方弁部の先端側の上面と対向するように、空気用ピストンの中間連結部の下面側に設けられていることを特徴とするポンプ式泡吐出容器。
【請求項２】
弾性弁体の内方弁部の先端側の上方への弾性変形をストッパー部により阻止する際に、薄肉環状の内方弁部に対して、その円周方向に沿って複数箇所でストッパー部が接触するように構成されていることを特徴とする請求項１に記載のポンプ式泡吐出容器。
【請求項３】
弾性弁体の内方弁部の先端側の上方への弾性変形をストッパー部により阻止する際に、薄肉環状の内方弁部に対して、その円周方向に沿って連続した環状にストッパー部が接触するように構成されていることを特徴とする請求項１に記載のポンプ式泡吐出容器。
【請求項４】
ストッパー部が、空気用ピストンの中間連結部の下面側に形成された環状の凸部の下面であることを特徴とする請求項３に記載のポンプ式泡吐出容器。
【請求項５】
ストッパー部が、空気用ピストンの中間連結部で環状の谷部に成形された部分の下面であることを特徴とする請求項３に記載のポンプ式泡吐出容器。
【発明の詳細な説明】
【技術分野】
【０００１】
本発明は、容器本体に一体的に設置されたポンプのノズル体を押し下げることにより、容器内に収容されている液体を、容器外から吸入した空気と混合して泡立てた状態で、ノズル体の吐出口から吐出するようなポンプ式泡吐出容器に関し、特に、ポンプのノズル体を押し下げたときに音鳴りが発生するのを抑制又は防止できるようなポンプ式泡吐出容器に関する。
【背景技術】
【０００２】
シャンプー、ハンドソープ、ボディソープ、洗顔料、整髪料、ひげ剃り剤等の容器として、容器本体に一体的に設置されたポンプのノズル体をスプリングの付勢力に抗して押し下げ（及び押し下げ解除）操作することにより、容器内に収容されている液体を、容器外から吸入した空気と混合して泡立てた状態で、ノズル体の吐出口から吐出するようなポンプ式泡吐出容器については、従来から様々な構造のものが提案されており既に実用化されている。
【０００３】
そのような従来公知のポンプ式泡吐出容器では、下記の各特許文献に記載されているように、大径の空気用シリンダと小径の液用シリンダを同心的に一体成形した二重シリンダと、空気用シリンダに摺接する空気用ピストンと液用シリンダに摺接する液用ピストンを一体化したピストン体とにより、容器外の空気を吸入する空気室と、容器内の液体を吸い上げる液室と、空気室からの空気と液室からの液体とを混合して泡立てる混合室と、空気室と混合室とを連通する空気通路とが形成されていて、空気室の吸気孔および液室の入口と出口にはそれぞれ逆止弁が設けられている。
【０００４】
そして、ピストン体の上端部に連結されたノズル体を、スプリングの付勢力に抗して一且押し下げてから押し下げを解除することで、ノズル体とピストン体が上昇するときに、容器外の空気を空気室に吸入すると共に容器内の液体を液室に吸い上げて泡出しの準備がなされ、その後は、スプリングの付勢力に抗してノズル体を押し下げることで、空気室からの空気と液室からの液体が混合室に供給されて、混合室で泡に形成されてから、この泡がノズル体の泡通路を通して吐出口から吐出されるようになっている。
【０００５】
そのようなポンプ式泡吐出容器の空気室には、何れも、容器外の空気を空気室に吸入するための吸気孔と、空気室の空気を混合室に供給するための空気通路とがそれぞれ設けられているが、下記の特許文献１、２に記載されたものでは、吸気孔にボール弁による逆止弁が設けられているだけで、空気通路の入口には逆止弁が設けられていないのに対して、特許文献３、４に記載されたものでは、吸気孔に逆止弁が設けられていると共に、空気通路の入口にも逆止弁が設けられている。
【０００６】
すなわち、特許文献３、４に記載されたものでは、吸気孔の逆止弁と空気通路の入口の逆止弁とが一体的に形成された軟質合成樹脂製の弾性弁体が使用されており、筒状基部と外方弁部と内方弁部が一体的に形成された弾性弁体では、筒状基部の下端部近傍から外方に延びる薄肉円環状の外方弁部が吸気孔の逆止弁となり、筒状基部の下端部近傍から内方に延びる薄肉円環状の内方弁部が空気通路の入口の逆止弁となっている。
【０００７】
そのような弾性弁体を使用したポンプ式泡吐出容器では、空気室が大気圧であるときには、弾性弁体の内方弁部と外方弁部は、それぞれ空気通路と吸気孔を閉鎖した状態となっており、ノズル体の押し下げにより空気室が加圧されたときには、外方弁部が吸気孔を閉鎖した状態のままで、内方弁部が空気通路の入口を開口した状態となって、加圧された空気室の空気が空気通路を通って混合室に送り込まれることになり、一方、ノズル体の押し下げが解除されて空気室が負圧になったときには、内方弁部が空気通路の入口を閉鎖する状態に戻り、外方弁部が吸気孔を開口した状態となって、外気が空気室に吸引されることになる。
【先行技術文献】
【特許文献】
【０００８】
【特許文献１】実開平３−７９６３号公報
【特許文献２】国際公開ＷＯ９２／０８６５７号公報
【特許文献３】実開平６−６９１６１号公報
【特許文献４】特開平１０−３２４３５７号公報
【発明の概要】
【発明が解決しようとする課題】
【０００９】
ところで、上記の特許文献３、４に記載されたタイプのポンプ式泡吐出容器によれば、空気通路の入口に逆止弁を設けていることで、泡吐出時に混合室や泡通路に残留した泡が空気通路を通って空気室に逆流するのを防止することができる。さらに、筒状基部と外方弁部と内方弁部とが一体化された弾性弁体を使用することで、一部品により吸気孔と空気通路をそれぞれ開閉する二つの逆止弁の役目を果していることから、部品点数が少なくて済み、それだけ組み立て作業が容易になるだけでなく、製造コストも削減されるという利点もある。
【００１０】
そのため、このタイプのポンプ式泡吐出容器は実際に広く使用されているが、このタイプのポンプ式泡吐出容器を使用して、ノズル体の押し下げ操作した際に、ポンプから音鳴りが発生することがある。この音鳴りについては、消費者から指摘されたことがあったものの、最初の押し下げから４回又は５回くらいの間の押し下げ時に、ポンプから比較的高い音が発生するが、それ以降の押し下げ時には全く聞こえなくなるため、今まではあまり問題視されていなかった。
【００１１】
一方、このタイプのポンプ式泡吐出容器については、その利便性が広く消費者に知れ渡ったことで、近年、様々な用途に使用されるようになり、内容液の販売業者からポンプ式泡吐出容器の大型化と一回の泡吐出量を増やすことへの要望が出されるようになった結果、従来の製品では一回の押し下げによる泡吐出量を液量換算で１．０ｃｃ、１．５ｃｃとしていたが、これを２．０ｃｃ、２．５ｃｃ、３．０ｃｃとする製品についても開発することが必要となった。
【００１２】
そこで、本発明者等は、ポンプ構造が上記の特許文献４に記載されたものと殆ど同じで、一回の泡吐出量が液量換算で３．０ｃｃとなるポンプ式泡吐出容器の設計と試作に取り掛り、試作品を作成して、性能試験を開始したところ、使用開始時の押し下げ時にかなり大きな音鳴りが発生するものになってしまった。このような大きな音鳴りは、消費者が容認できるものではないので、本発明者等がその原因を究明したところ、加圧された空気室の空気が空気通路を閉鎖している弾性弁体の内方弁部を上方へ弾性変形させて空気通路の入口を開口させながら空気通路へ流入する際に、弾性弁体の内方弁部が振動して音鳴りが発生するということが判明した。
【００１３】
この消費者が容認できないような音鳴りについて、試作品のポンプ式泡吐出容器では、ノズル体の一回の押し下げによる泡吐出量を従来の２倍以上にしたことによって、空気室から混合室へ送り込まれる空気量が２倍以上になったため、弾性弁体の内方弁部（円環状の薄膜）を変形させる力が強くなっただけでなく、狭い空気通路を通る空気の流速も速くなり、一方、弾性弁体の内方弁部は、基端側（外端側）が筒状基部に固定されているだけで、先端側（内端側）は自由に変位可能で、外力により振動され易い構造であるため、空気室から空気通路に流入する流速の速い空気の流れによって小刻みに震わされ易く、そのため、ノズル体を押し下げた際に弾性弁体の内方弁部が小刻みに震わされて大きな音鳴りが発生したものと推測される。
【００１４】
本発明は、上記のような問題の解消を課題とするものであって、具体的には、空気室と混合室とを連通する空気通路の入口に薄肉環状の弁部による逆止弁が設けられたポンプ式泡吐出容器について、加圧された空気室から空気通路に送り込まれる空気の流れによって逆止弁の弁部が振動することに起因する音鳴りを抑制又は阻止できるようにすることを課題とするものである。
【課題を解決するための手段】
【００１５】
本発明は、上記のような課題を解決するために、大径の空気用シリンダと小径の液用シリンダを同心的に一体成形した二重シリンダと、空気用シリンダに摺接する空気用ピストンと液用シリンダに摺接する液用ピストンを一体化したピストン体とにより、容器外の空気を吸入する空気室と、容器内の液体を吸い上げる液室と、空気室からの空気と液室からの液体を混合して泡立てる混合室と、空気室と混合室を連通する空気通路とが形成されており、
液用ピストンを連結する小径筒状のステム部と空気用シリンダに摺接する大径筒状のピストン部を中間連結部を介して同心的に一体成形した空気用ピストンに対して、その中間連結部に空気室の吸気孔が開設され、そのステム部と液用ピストンとの間に空気通路が形成されていて、この吸気孔と空気通路をそれぞれ開閉する逆止弁が設けられていると共に、
空気通路を開閉する逆止弁として、筒状基部の下端付近から内方に薄肉環状の内方弁部を延ばした弾性弁体が、空気用ピストンの中間連結部に筒状基部の上端部が保持された状態で、内方弁部により空気通路の入口を開閉するように設けられていて、
空気室の大気圧時と負圧時には、弾性弁体の内方弁部により空気通路の入口が閉鎖され、空気室が加圧された時には、弾性弁体の内方弁部の先端側が上方に弾性変形することで空気通路の入口が開口されるようになっているポンプ式泡吐出容器において、
空気室が加圧された時に、弾性弁体の内方弁部の先端側が上方に弾性変形するのに対して、空気通路の入口を所定量だけ開口させた状態で、内方弁部の先端側の上面と接触してそれ以上の内方弁部の上方への弾性変形を阻止するためのストッパー部が、弾性弁体の内方弁部の先端側の上面と対向するように、空気用ピストンの中間連結部の下面側に設けられていることを特徴とするものである。
【発明の効果】
【００１６】
上記のような本発明のポンプ式泡吐出容器によれば、ノズル体を押し下げたときに、空気室の加圧された空気が、空気通路を開閉する弾性弁体の内方弁部を押圧して、その先端側を上方へ弾性変形させることで、空気通路の入口を開口させて、空気通路に速い速度で空気を流入させるが、その際に、弾性弁体の内方弁部の先端側の上方への弾性変形は、空気通路の入口を所定量だけ開口させた段階で、それ以上の上方への弾性変形がストッパー部により抑えられる（内方弁部の自由変位が抑制される）ことから、内方弁部に沿って高速空気が通過しても、それに起因する内方弁部の振動の幅は極めて小さくなる。
【００１７】
また、ストッパー部との接触箇所から先端までの間の内方弁部の一部分が未だ自由変位可能な部分となっていても、この部分は必然的に狭い（半径方向の長さが極めて短い）領域となり、この部分の変位量もそれに伴って小さくなるため、高速空気の通過に伴って発生する振動の幅も小さくなる。その結果、空気通路に流入する空気の流速が大きくても、この空気による内方弁体の振動は極めて小さなものとなって、ポンプの音鳴りが抑制又は阻止されることになる。
【図面の簡単な説明】
【００１８】
【図１】本発明のポンプ式泡吐出容器の一実施例（実施例１）について、ノズル体が上限位置での容器の全体構造を示す縦断面図である。（なお、筒状の部分で端部同士を結ぶ横線については、全てを表示せずに部分的に省略している。また、収容された液体の表示は省略している。）
【図２】図１に示したポンプ式泡吐出容器のノズル体が下限位置での容器の全体構造を示す縦断面図である。（なお、図１と同様に、筒状の部分で端部同士を結ぶ横線については、全てを表示せずに部分的に省略している。また、収容された液体の表示は省略している。）
【図３】図１に示したポンプ式泡吐出容器に使用されている空気用ピストンを示す縦断面図である。
【図４】図１に示したポンプ式泡吐出容器で空気室の吸気孔や空気通路の入口に対して両方の逆止弁となる弾性弁体が設けられた部分を拡大して示す部分拡大縦断面図である。
【図５】本発明のポンプ式泡吐出容器の他の実施例（実施例２）について、空気室の吸気孔や空気通路の入口に対して両方の逆止弁となる弾性弁体が設けられた部分を拡大して示す部分拡大縦断面図である。
【図６】ポンプ式泡吐出容器の従来例について、空気室の吸気孔や空気通路の入口に対して両方の逆止弁となる弾性弁体が設けられた部分を拡大して示す部分拡大縦断面図である。
【発明を実施するための形態】
【００１９】
空気室と混合室とを連通する空気通路の入口に薄肉環状の弁部による逆止弁が設けられたポンプ式泡吐出容器について、加圧された空気室から空気通路に送り込まれる空気の流れによって逆止弁の弁部が振動することに起因する音鳴りを抑制又は阻止できるようにするという目的を、以下の各実施例に具体的に示すように、空気室が加圧された時に、弾性弁体の内方弁部の先端側が上方に弾性変形するのに対して、空気通路の入口を所定量だけ開口させた状態で、内方弁部の先端側の上面と接触してそれ以上の内方弁部の上方への弾性変形を阻止するためのストッパー部を、弾性弁体の内方弁部の先端側の上面と対向するように、空気用ピストンの中間連結部の下面側に設ける、ということで実現した。
【００２０】
なお、以下の各実施例に係るポンプ式泡吐出容器は、その容器本体内にシャンプー、ハンドソープ、ボディソープ、洗顔料、整髪料、ひげ剃り剤等のような界面活性剤を含有する液体を収容するものであって、収容された液体の表示を省略した状態でのポンプ式泡吐出容器の全体構造について以下に説明すると、図１に示すように、ポンプ式泡吐出容器１は、ノズル体４とシリンダ体５とピストン体６とを備えたポンプ構造を有するものであって、ノズル体４は、容器本体２の外側でキャップ３の上方に位置し、シリンダ体５は、容器本体２の口部から内部に向けて垂設され、空気用ピストン７と液用ピストン８からなるピストン体６は、キャップ３の下面側に固定されるシリンダ体５内部に上下動可能に配設されている。
【００２１】
容器の口部に冠着されるキャップ３には、その天板中央部に開口部が開設されていると共に、この開口部の周縁から上方に筒状のガイドステム部３１が立設されており、一方、容器の外側に配置されるノズル体４には、ピストン体６の上端部と連結して内側に吐出通路を形成する内筒部４１と、キャップ３のガイドステム部３１の外周面と近接する外筒部４２とが一体的に形成されている。そして、ノズル体４は、キャップのガイドステム部３１に案内された状態で、一体的に連結されたピストン体６と共に上下動するようになっている。
【００２２】
キャップ３の下面側に固定されたシリンダ体５に対して一体的に上下動するノズル体４とピストン体６は、シリンダ体５とピストン体６の間に介装されたコイルスプリング１１のバネ力によって常に上方に付勢されており、図１に示すようなノズル体４の上限位置から、ノズル体４とピストン体６をコイルスプリング１１の付勢力に抗して押し下げることで、図２に示すような下限位置まで押し下げることができる。
【００２３】
上記のようなポンプ式泡吐出容器１の構造について更に詳しく説明すると、容器本体２の口部に着脱可能に冠着されるキャップ３は、熱可塑性樹脂のような合成樹脂によるもので、中央に開口部が開設された天板部３２と、天板部３２の開口部周縁から上方に立ち上がる円筒状のガイドステム部３１と、天板部３２の周端縁から垂下される円筒状のスカート部３３とを一体成形したものであって、スカート部３３の内面側には、容器本体２の口部と螺合するためのネジ部が形成され、天板部３２の下面には、円筒状のシリンダ狭持部（空気用シリンダ５１を狭持する）と円筒状のピストン接触部（空気用ピストン７と接触する）とが同心円状に垂下されている。
【００２４】
シリンダ体５は、大径筒状の空気用シリンダ５１と小径筒状の液用シリンダ５２とが円錐台状の連結部分を介して同心的に連結されるように、熱可塑性樹脂の射出成形等により一つの部材として一体成形した二重シリンダであって、空気用シリンダ５１の上端に形成されたフランジ部が、キャップ３の天板部３２の下面側に挿着されることにより、シリンダ体５の上端部がキャップ３に同心円状に一体的に固定され、このキャップ３が容器本体２の口部に冠着（螺着）されることで、シリンダ体５は容器本体２の口部から下方（容器内）に垂設されることになる。
【００２５】
そのようなシリンダ体５には、空気用シリンダ５１の上部に、容器本体２のへッドスペース（容器内の液面よりも上方の空間部）に空気を導入するための空気孔Ｅが穿設されており、液用シリンダ５２の下端には、漏斗状の弁座部が形成されていて、この弁座部の下方には、容器本体２内に収容されている液体を液用シリンダ５２に導入するための導液管１５が圧入により連結され、この導液管１５の下端は容器本体２の底部付近にまで延びている。
【００２６】
シリンダ体５内に上下動可能に配設されるピストン体６は、熱可塑性樹脂の射出成形等により個別の部品としてそれぞれ一体成形された空気用ピストン７と液用ピストン８を、その後に一つのピストン体６として同心的に連結して組み立てたものであって、空気用ピストン７は、空気用シリンダ５１のシリンダ壁内面に沿って摺動し、液用ピストン８は、液用シリンダ５２のシリンダ壁内面に沿って摺動し、ピストン体６の上端（空気用ピストン７のステム部７１の上部）は、ノズル体４の内筒部４１の下端と連結されている。
【００２７】
ピストン体６の空気用ピストン７は、その上部に位置する小径筒状のステム部７１と、その下部に位置する大径筒状のピストン部７３を、中間連結部７２を介して連結するように一体成形したものであって、ピストン部７３の下端には、空気用シリンダ５１のシリンダ壁内面との間で充分に気密性を確保でき、且つ、該シリンダ壁内面に対して上下方向に軽く摺動できるように、所定の幅の摺動シール部分が一体的に形成されている。
【００２８】
空気用ピストン７のピストン部７３の摺動シール部分は、所定の幅に形成されてその幅方向の上下両端で空気用シリンダ５１のシリンダ壁内面に密接しており、空気用シリンダ５１の上部に開設された空気孔Ｅに対して、空気用ピストン７が上限位置にある状態では、図１に示すように、ピストン部７３の摺動シール部分が空気孔Ｅを閉鎖していて、空気用ピストン７が上限位置から押し下げられてピストン部７３の摺動シール部分が下方に移動することで、図２に示すように、空気孔Ｅは開口される。
【００２９】
空気用ピストン７のステム部７１は、その上部がノズル体４との連結部（ノズル体４の内筒部４１の下部を外嵌させる部分）となり、その下部が液用ピストン８との連結部（液用ピストン８の上部を内挿させる部分）となるものであって、ステム部７１の上部は、ノズル体４の内筒部４１を嵌合する際の下限位置を規制すると共に、液用ピストン８の上端部を挿入する際の上限位置を規制するように、段差をもって下部よりも小径の円筒部分に縮径されている。
【００３０】
ピストン体６の液用ピストン８は、全体が略円筒形状をしており、その上端部の内面側には、内径が上方に行く程大径となる擂鉢状（又は漏斗状）の弁座部が形成され、中途部の外周面には、放射状の突起部を外端縁に有する環状突部８１が形成され、下端部の内面側には、液用シリンダ５２の下端付近（液用シリンダ５２内に装着された筒状係止体１２の下端部の上面）との間に介装されるコイルスプリング１１の上端が当接されている。
【００３１】
このコイルスプリング１１は、耐内容物性に優れたステンレススチールによるもので、そのバネ力によりシリンダ体５内でピストン体６が常に上方に付勢され、また、図２に示すように、環状突部８１によりシリンダ体５内でのピストン体６の下限位置が規制されている。なお、このコイルスプリング１１は、液用シリンダ５２と液用ピストン８との間に介装させているが、空気用シリンダ５１と空気用ピストン７との間に介装させても良いものである。
【００３２】
上記のような構造のシリンダ体５とピストン体６とにより、空気用ピストン７で覆われた空気用シリンダ５１の内側で液用ピストン８の外側に空気室Ａが形成され、液用ピストン８と液用シリンダ５２の内側に液室Ｂが形成され、液室Ｂの上方で空気用ピストン７のステム部７１の上部内側に混合室Ｃが形成されていて、容器本体２内に空気を導入するための空気孔Ｅが空気用シリンダ５１の上部に開設され、空気室Ａに空気を導入するための吸気孔Ｆが空気用ピストン７の中間連結部７２に開設されている。
【００３３】
そして、液用ピストン８が圧入されているステム部７１の下端から混合室Ｃに至るまでの部分に、空気室Ａから混合室Ｃに空気を送り込むための空気通路Ｄを形成するために、ステム部７１の下部内面側には、複数本のリブ（各リブの間が空気通路Ｄとなる）が、円周方向に一定の間隔を置いて形成されている。なお、ステム部７１の内面と液用ピストン８の外面の間に空気通路Ｄを形成するためには、凸状のリブに限らず、凹状の縦溝（各縦溝が空気通路Ｄとなる）であっても良く、また、空気用ピストン７のステム部７１の内面側でなく、液用ピストンの外面側に設けるようにしても良い。
【００３４】
上記のようにシリンダ体５とピストン体６により空気室Ａと液室Ｂと混合室Ｃと空気通路Ｄがそれぞれ形成され、シリンダ体５（空気用シリンダ５１の上部）に空気孔Ｅが開設され、ピストン体６（空気用ピストン７の中間連結部７２）に吸気孔Ｆが開設されているのに対して、液用シリンダ５２の下端近傍に形成された弁座部には、ボール弁（ボトムボール）１３が載置されていて、この弁座部とボール弁１３とにより、液室Ｂの負圧時に液室Ｂの下端の入口を開口するための第１逆止弁が構成されている。
【００３５】
また、液用ピストン８と液用シリンダ５２の内側には、上端部の外面側に逆円錐台状の弁体部が形成された棒状弁体１４が配設され、液用シリンダ５２の下端の弁座部の上方には、液体の通過が可能な筒状係止体１２が装着され、棒状弁体１４が筒状係止体１２により所定の範囲だけ上下動可能に保持されていることで、液用ピストン８の上端部に形成された弁座部と、棒状弁体１４の上端部に形成された弁体部とにより、液室Ｂの加圧時に液室Ｂの上端の出口を開口するための第２逆止弁が構成されている。
【００３６】
さらに、ピストン体６の上下動により容積が変化する空気室Ａの負圧時（ピストン体６の上昇時）に、空気用ピストン７の中間連結部７２に開設された吸気孔Ｆから空気室Ａに空気を導入し、また、空気室Ａの加圧時（ピストン体６の下降時）に、空気室Ａから空気通路Ｄを通して混合室Ｃに空気を供給するように、吸気孔Ｆと空気通路Ｄに共通する第３逆止弁が、空気用ピストン７の中間連結部７２の吸気孔Ｆよりも外側の下面と、液用ピストン８の中途部の外周面に形成された環状突部８１の上面と、射出成形等により一体的で成形された軟質合成樹脂製の弾性弁体１６とで構成されており、弾性弁体１６は、空気用ピストン７の中間連結部７２と液用ピストン８の環状突部８１との間に液用ピストン８と同心的に配置されている。
【００３７】
すなわち、第３逆止弁では、図４に示すように、短い円筒状の筒状基部１６ａと、筒状基部１６ａの下端近傍から外方に延びる薄肉円環状の外方弁部１６ｂ（吸気孔Ｆを開閉する弁部）と、筒状基部１６ａの下端近傍から内方に延びる薄肉円環状の内方弁部１６ｃ（空気通路Ｄの入口の開閉する弁部）とからなる弾性弁体１６は、筒状基部１６ａの上部が、空気用ピストン７の中間連結部７２に形成された環状凹部７２ａにより保持され（狭持されるようにしても良い）、筒状基部１６ａの下端が、液用ピストン８の環状突部８１の外端部に形成された適当数の放射状突起８１ａにより支えられた状態で、空気室Ａの上端部に位置決めされている。
【００３８】
そのような第３逆止弁では、空気室Ａが大気圧時には、図４に示すように、弾性弁体１６の外方弁部１６ｂの先端側が、中間連結部７２の吸気孔Ｆより外側の部分７２ｂの下面に接触し、一方、内方弁部１６ｃの先端側が環状突部８１の上面に接触することで、空気通路Ｄの入口と吸気孔Ｆの両方を閉鎖している。そして、ピストン体６が下降して空気室Ａが加圧されると、弾性弁体１６の内方弁部１６ｃの先端側が、上方に変位（弾性変形）して、環状突部８１の上面から離れることで、空気通路Ｄの入口が開放されることとなり、また、ピストン体６が上昇して空気室Ａが負圧になると、弾性弁体１６の外方弁部１６ｂの先端側が、下方に変位（弾性変形）して、中間連結部７２の吸気孔Ｆより外側の部分７２ｂの下面から離れることで、吸気孔Ｆが開口されることとなる。
【００３９】
ポンプ式泡吐出容器１の押し下げへッドとなるノズル体４は、混合室Ｃの出口（下流側）から吐出口４３に至る泡通路Ｇを、円筒状の内筒部４１の筒内を直上してから頂部に沿って吐出口４３まで延びるように逆Ｌ字形に形成したものであって、吐出口４３が形成されているノズル体４の頂部からは、内筒部４１との間に間隔を置いて同心的に、内筒部４１よりも大径の外筒部４２が一体的に垂下されている。なお、ノズル体４の頂部の下側には、外部の空気を内筒部４１と外筒部４２の間の通気路Ｈに吸い込むための吸気口４４、４５が形成されている。
【００４０】
ノズル体４の内筒部４１の下端は、その内筒に下方から空気用ピストン７のステム部７１の上端部が嵌入されることで、空気用ピストン７のステム部と一体的に連結されており、この連結部分がキャップ３の天板部３２の中央部に開設された開口部を貫通していることで、容器本体２の内外にそれぞれ配置されるノズル体４とピストン体６がキャップ３を貫通して一体的に連結されることとなる。
【００４１】
なお、ノズル体４の泡通路Ｇには、空気用ピストン７との連結に先立って、シート状の多孔体を両端に張設した多孔体ホルダー１７が、混合室Ｃの下流側で泡通路Ｇ内に挿着されており、この多孔体ホルダー１７は、混合室Ｃで形成された泡を通過させて均質化するためのもので、例えば、合成樹脂製の糸を編んだ網体のような多孔シートを筒状の合成樹脂製スペーサーの両端に溶着して取り付けたようなものであって、上流側（混合室Ｃに近い側）の多孔シートの網目よりも下流側（吐出口４３に近い側）の多孔シートの網目の方が細かくなるように形成されている。
【００４２】
以上に述べたような構造を備えたポンプ式泡吐出容器について、その使用状態を以下に説明すると、製造されてから消費者が使用を開始するまでは、図ｌに示すように、ノズル体４とピストン体６は上限位置にあり、この状態で、内筒部４１と外筒部４２の間の通気路Ｈを通して容器内に空気を供給するための空気孔Ｅは、空気用ピストン７の摺動シール部により閉じられ、ボール弁１３による第１逆止弁と棒状弁体１４による第２逆止弁と弾性弁体１６による第３逆止弁は全て閉じられている。
【００４３】
そのような状態から、最初にノズル体４を押し下げて、図２に示すように、ノズル体４とピストン体６を下限位置まで下降させると、ボール弁１３による第１逆止弁は閉じて液室Ｂの下端入口が閉鎖されたまま、棒状弁体１４による第２逆止弁が開いて液室Ｂの上端出口が開口される。また、ピストン体６の下降により空気室Ａが加圧されることで、弾性弁体１６による第３逆止弁では、加圧された空気室Ａの空気が弾性弁体１６の外方弁部１６ｂや内方弁部１６ｃに上方への押圧力を加えるため、外方弁部１６ｂでは、その先端側（外方端側）が吸気孔Ｆよりも外側で中間連結部７２の下面に接触したままで、吸気孔Ｆは閉鎖された状態のままとなり、一方、内方弁部１６ｃでは、その先端側（内方端側）が上方へ弾性変形して環状突部８１の上面から離れることで、空気通路Ｄの入口は開口されることになる。
【００４４】
そのため、消費者が使用を開始して、最初にノズル体４を押し下げたときには、それと同時に空気用ピストン７と液用ピストン８も押し下げられることで、空気用ピストン７により加圧された空気室Ａから混合室Ｃに加圧空気が送り込まれると共に、液用ピストン８により加圧された液室Ｂからは溜まっていた空気だけが混合室Ｃに送り込まれることから、ノズル体４の泡通路Ｇからは空気だけが吐出されることとなる。
【００４５】
そのような最初のノズル体４の押し下げを解除すると、コイルスプリング１１の上方への付勢力により、図１に示すような上限位置までノズル体４とピストン体６とが上昇することで、先ず、棒状弁体１４による第２逆止弁が閉じて液室Ｂの上端出口が閉鎖されてから、更にピストン体６（液用ピストン８）の上昇により液室Ｂが負圧になることで、ボール弁１３による第１逆止弁が開いて液室Ｂの下端入口が開口される。また、ピストン体６（空気用ピストン７）の上昇により空気室Ａが負圧になることで、弾性弁体１６による第３逆止弁では、減圧された空気室Ａの空気が弾性弁体１６の外方弁部１６ｂや内方弁部１６ｃを下方に引き戻すため、外方弁部１６ｂでは、その先端側（外方端側）が下方へ弾性変形して吸気孔Ｆよりも外側で中間連結部７２の下面から離れることで、吸気孔Ｆは開口されることとなり、一方、内方弁部１６ｃでは、その先端側（内方端側）が環状突部８１の上面に接触して、空気通路Ｄの入口は閉鎖されることになる。
【００４６】
その結果、液室Ｂには、導液管１５を通して容器本体２内の液体が吸い上げられると共に、空気室Ａには、ノズル体４の吸気口４４、４５から内筒部４１と外筒部４２の間の通気路Ｈを通って、外部の空気が吸気孔Ｆから供給されることで、泡を吐出するための準備状態が完了する。
【００４７】
なお、容器本体２内から液室Ｂに液体が吸い上げられることで、その分だけ容器本体２のへッドスペースの容積が増加するため、そのままではへッドスペースが負圧状態となるが、図２の状態から図１の状態に戻るまでの間は、空気孔Ｅが開口したままであり、ノズル体４の吸気口４４、４５から内筒部４１と外筒部４２の間の通気路Ｈを通った外部の空気は、空気孔Ｅから直ちに容器本体２内へ吸い込まれるため、そのようなへッドスペースの負圧状態は直ちに解消される。
【００４８】
上記のように、液室Ｂに液体が満たされて、且つ、図１に示した状態に戻った段階で、再びノズル体４を押し下げると、ピストン体６（空気用ピストン７と液用ピストン８）と各逆止弁（第１〜第３逆止弁）は、上記の押し下げ操作と同様に作動して、その結果、ピストン体６の下降に連れて空気室Ａと液室Ｂが加圧されることで、空気室Ａの空気が空気通路Ｄを通って混合室Ｃに圧送されると共に、液室Ｂの液体が混合室Ｃに送り込まれて、両者は混合室Ｃで混ざり合って泡立てられ、さらに、多孔体ホルダー１７の多孔シートを通過してきめ細かい泡にされてから、ノズル体４の泡通路Ｇを通って吐出口４３から吐出される。
【００４９】
そして、図２に示した状態から、ノズル体４の押し下げ操作を解除すると、ピストン体６（空気用ピストン７と液用ピストン８）と各逆止弁（第１〜第３逆止弁）は、上記の押し下げ操作の解除時と同様に作動して、その結果、液室Ｂには、再び容器本体２内の液体が導液管１５を通して吸い込まれると共に、吸気孔Ｆからは空気室Ａに空気が供給されることで、泡を吐出するための準備状態となり、以後、ノズル体４の押し下げ操作と該操作の解除を繰り返すことによって、ノズル体４の吐出口４３から所望量の泡を吐出させることができる。
【００５０】
ところで、上記のようなポンプ式泡吐出容器では、空気室Ａに空気を導入するための吸気孔Ｆと、空気室Ａから混合室Ｃに空気を供給するための空気通路Ｄとに対し、その両方に共通する第３逆止弁として、図４に示すように、短い円筒状の筒状基部１６ａと、筒状基部１６ａの下端近傍から外方に延びる薄肉円環状の外方弁部１６ｂ（吸気孔Ｆを開閉する弁部）と、筒状基部１６ａの下端近傍から内方に延びる薄肉円環状の内方弁部１６ｃ（空気通路Ｄの入口の開閉する弁部）とを備えた弾性弁体１６が設けられている。
【００５１】
この弾性弁体１６は、空気室Ａが大気圧の状態では、図４に示すように、空気用ピストン７の中間連結部７２の吸気孔Ｆよりも外側の部分７２ｂの下面と、液用ピストン８の中途部の外周面に形成された環状突部８１の上面とにそれぞれ接触しているが、ノズル体４の押し下げ操作で空気室Ａが加圧されたときには、外方弁部１６ｂの先端側は、中間連結部７２の下面に接触したままで、吸気孔Ｆは閉鎖されているが、内方弁部１６ｃの先端側は、上方へ弾性変形して環状突部８１の上面から離れることで、空気通路Ｄの入口は開口されることになる。
【００５２】
そのようにノズル体４の押し下げ操作により空気室Ａを加圧して、空気通路Ｄの入口を開口させることで、空気室Ａの空気を混合室Ｃに圧送する際に、図６に示すような従来の構造では、空気室Ａから空気通路Ｄに流入する流速の速い空気の流れにより、先端側が上方へ弾性変形する内方弁部１６ｃが、何の抑制もなく自由に振動できる状態となっているため、内方弁部１６ｃが自由振動して小刻みに震わされることで大きな音鳴りが発生するという問題が生じることとなる。
【００５３】
この点について更に詳しく説明すると、図６に示すような従来の構造の場合、空気用ピストン７の中間連結部７２の環状凹部７２ａにより筒状基部１６ａが保持された（狭持されるようにしても良い）弾性弁体１６では、空気室Ａが加圧されたときに、下方からの空気の押圧力により内方弁部１６ｃの先端側が押し上げられて変位し、変位した内方弁部１６ｃの下面側を加圧された高速の空気が通って空気通路Ｄへと進むため、この空気流によって内方弁部１６ｃは主として上下方向に振動されるような力を受けるが、その際に、内方弁部１６ｃの先端側（内端側）が上方に自由となっていることで、内方弁部１６ｃは何の抑制もなく自由に振動することになり、その結果、内方弁部１６ｃが自由振動して小刻みに震わされることで大きな音鳴りが発生することとなる。
【００５４】
上記のような大きな音鳴りの問題を解消するための本発明のポンプ式泡吐出容器の各実施例について以下に説明する。なお、既に説明したようなポンプ式泡吐出容器の全体構造については省略し、第３逆止弁の部分についてのみ説明する。
【実施例１】
【００５５】
本実施例（実施例１）では、図４に示すように、短い円筒状の筒状基部１６ａと、筒状基部１６ａの下端近傍から外方に延びる薄肉円環状の外方弁部１６ｂ（吸気孔Ｆを開閉する弁部）と、筒状基部１６ａの下端近傍から内方に延びる薄肉円環状の内方弁部１６ｃ（空気通路Ｄの入口の開閉する弁部）とを備えた弾性弁体１６に対して、空気用ピストン７の中間連結部７２の下面で、弾性弁体１６の筒状基部１６ａを保持する環状凹部７２ａよりも内側に、中間連結部７２の下面から下方に突出するように環状の凸部を一体的に形成して、この環状凸部の下面を、内方弁部１６ｃの上面側と接触して内方弁部１６ｃの自由振動を抑制するためのストッパー部７２ｃとしている。
【００５６】
上記のように空気用ピストン７の中間連結部７２の下面から下方に突出する凸部によってストッパー部７２ｃを形成する場合、円周方向に連続した環状の凸部に限らず、円周方向で略等間隔を置いて環状に配列した複数個の凸部であっても良く、そのように複数個の凸部を形成する場合、円周方向に配列する凸部の数については、内方弁部１６ｃとの接触面積にもよる（一箇所の接触面積が大きいと凸部の数は少なくても良い）が、凸部同士が等間隔で配列されている場合には２個以上で良く、音鳴りをより効果的に防止する観点からは、３〜６個が好ましい。
【００５７】
なお、ストッパー部７２ｃとして円周方向で略等間隔に複数個の凸部を形成した場合には、内方弁部１６ｃの先端側が上方に変位して各凸部の下面に接触しても、各凸部の間の部分では、衝突する高速の空気の押圧力により、各凸部の間の部分に対向する内方弁部１６ｃの部分（凸部の下面と接触しない部分）を僅かに上方に変位させることができ、それによって、環状に連続した凸部の場合に比べて、多くの空気を空気通路Ｄに進入させることができて、その結果、ノズル体４の押し下げに対する抵抗力もそれだけ弱くなって、消費者がノズル体４を押し下げる際に、押し下げ難いという感じを与え難くなる。
【実施例２】
【００５８】
本実施例（実施例２）は、上記の実施例１に示したものと比べて、弾性弁体１６の内方弁部１６ｃの上面側と接触して内方弁部１６ｃの自由振動を抑制するためのストッパー部７２ｃの具体的な構造が相違するものである。即ち、本実施例（実施例２）では、図５に示すように、空気用ピストン７のステム部７１と中間連結部７２の環状凹部７２ａの内周壁との間で、ステム部７１の下端と環状凹部７２ａの内周壁の下端とを繋ぐように、中間連結部７２の一部を環状の谷部に形成して、この谷部の下面を、内方弁部１６ｃの上面側と接触して内方弁部１６ｃの自由振動を抑制するためのストッパー部７２ｃとしている。
【００５９】
なお、ストッパー部７２ｃとして中間連結部７２の一部を環状の谷部に形成した場合には、この谷部が、空気用ピストン７の端部ではなく、中間部分になるため、ストッパー部７２ｃでは、成形時の溶融樹脂の流れ性が良く、成形性が良好となり、しかも、ストッパー部７２ｃが２個の垂直壁に連結された構造となるので、空気用ピストン７の部品強度を一層向上させることができる。
【００６０】
以上に述べたような各実施例（実施例１、実施例２）の第３逆止弁では、その何れにおいても、ノズル体４の押し下げ操作によりピストン体６が下降して空気室Ａが加圧されることで、弾性弁体１６の内方弁部１６ｃの先端側が、上方に変位（弾性変形）して、環状突部８１の上面から離れることにより、空気通路Ｄの入口が開放される際に、空気通路Ｄの入口を所定量だけ開放する位置まで内方弁部１６ｃの先端側が上方に変位した段階で、それより上方に内方弁部１６ｃの先端側が変位しないように、空気用ピストン７の中間連結部７２に設けられたストッパー部７２ｃによって抑えられるようにしている。
【００６１】
なお、容器によって一回のノズル体４の押し下げで吐出させる泡の量（一回のノズル体４の押し下げで空気通路Ｄから混合室Ｃに供給される空気の量）は異なることがあり、また、空気室Ａから空気通路Ｄに流れる空気の流速も、ノズル体４を押し下げる消費者の押し下げ速度の変動幅や、同時に液室Ｂから混合室Ｃへ流入する液体の流入速度にも影響されて微妙に変動するものであり、さらに、内方弁部１６ｃの上下方向の振動幅も、内方弁部１６ｃの下面側を通過する空気の流速の変化に伴って微妙に変化するものである。したがって、内方弁部１６ｃの先端側の上方への変位を具体的にどの程度で抑えるかについては、それぞれの容器において予め実験して必要な最小の変位量を求めた上で、それに応じてストッパー部７２ｃの位置（高さ）が設定されることとなる。
【００６２】
そのように位置（高さ）が設定されたストッパー部７２ｃにより、内方弁部１６ｃの先端側の上方への変位が、所定量だけ変位した段階で抑えられることによって、ノズル体４の押し下げ操作により空気室Ａを加圧して、空気通路Ｄの入口を開口させることで、空気室Ａの空気を混合室Ｃに圧送する際に、空気室Ａから空気通路Ｄに流速の速い空気の流れても、内方弁部１６ｃは、ストッパー部７２ｃにより上方への変位が抑制されて、大きく振動（自由振動）できない状態となるため、小刻みに振動して大きな音鳴りを発生させるようなことはない。
【００６３】
すなわち、内方弁部１６ｃと連結している筒状基部１６ａから離れた位置で、上方へ変位する内方弁部１６ｃと接触するストッパー部７２ｃが存在することで、内方弁部１６ｃは、筒状基部１６ａとストッパー部７２ｃとの間の部分が自由に上方に変位できず、上下方向に振動できる幅も制限される（自由振動が抑制される）こととなる。また、内方弁部１６ｃのストッパー部７２ｃと接触する箇所から先端までの部分は、自由振動が可能な部分であるが、この部分は、内方弁部１６ｃの先端から筒状基部１６ａまでの長さと比べて短いことから、短い分だけ自由振動できる幅が小さく制限される（自由振動が抑制される）こととなる。その結果、ノズル体４の押し下げたときに、弾性弁体１６の内方弁部１６ｃが振動しても、小さな振動のままであるため、人の耳に届く程の大きな音鳴りが発生することはない。
【００６４】
以上、本発明のポンプ式泡吐出容器の各実施例について説明したが、本発明は、上記の各実施例に示したような具体的な構造にのみ限定されるものではなく、例えば、上記の各実施例では、何れも、空気室Ａと混合室Ｃとを連通させる空気通路Ｄの入口を開閉する逆止弁として、吸気孔Ｆと空気通路Ｄの両方に共通する逆止弁、即ち、筒状基部１６ａと外方弁部１６ｂと内方弁部１６ｃとが一体成形された弾性弁体１６を使用しているが、そのような弾性弁体１６に限らず、空気通路Ｄの入口を開閉する逆止弁（筒状基部１６ａと内方弁部１６ｃを一体成形した弾性弁体）に対して、吸気孔Ｆを開閉するための逆止弁として特許文献１、２に記載されたボール弁のような他の逆止弁を使用することで、空気通路Ｄの入口を開閉する逆止弁と、吸気孔Ｆを開閉する逆止弁とを別体のものとしても良いものである。
【００６５】
また、上記の各実施例では、何れも、内方弁部１６ｃとして、軟質合成樹脂製で薄肉円環状の逆止弁を使用しており、そのように内方弁部１６ｃを円環状とすることで、内方弁部１６ｃと空気通路Ｄとの位置合わせをする手間や面倒を回避できるようにしているが、あえて位置合わせをするというのであれば、特に円環状にする必要はなく、例えば、内方弁部１６ｃの内周縁の環状の形状を、多角形や、凸と凹とが交互になる凹凸形状等の適宜の形状として、そのような内方弁部１６ｃの内周縁で、空気通路Ｄの入口に対応する部分を、空気通路Ｄの入口を閉鎖し得る幅を有するようにしても良い等、適宜に設計変更可能なものであることはいうまでもない。
【符号の説明】
【００６６】
１      ポンプ式泡吐出容器
２      容器本体
３      キャップ
４      ノズル体
５      シリンダ体
６      ピストン体
７      空気用ピストン
８      液用ピストン
１６    弾性弁体
１６ａ  筒状基部
１６ｂ  外方弁部
１６ｃ  内方弁部
５１    空気用シリンダ
５２    液用シリンダ
７１    （空気用ピストンの）ステム部
７２    （空気用ピストンの）中間連結部
７２ｃ  ストッパー部
７３    （空気用ピストンの）ピストン部
Ａ      空気室
Ｂ      液室
Ｃ      混合室
Ｄ      空気通路
Ｆ      吸気孔
【図１】
2010260552.tif 000003
【図２】
2010260552.tif 000004
【図３】
2010260552.tif 000005
【図４】
2010260552.tif 000006
【図５】
2010260552.tif 000007
【図６】
2010260552.tif 000008